(57)【要約】  本発明による表示装置は、画素構造（１０）、集積回路（２０）及び斜め配線（３０）を含む。該画素構造（１０）は複数の反復ユニットを含む。各反復ユニットは、第１画素ユニット（１００ａ）と第２画素ユニット（１００ｂ）とを含む。第１画素ユニット（１００ａ）は第２画素ユニット（１００ｂ）と軸対称である。画素構造（１０）の配列は、ＲＧＢＢＧＲである。集積回路（２０）は、赤色副画素ポート、緑色副画素ポート及び青色副画素ポートのように順次繰り返して配列される複数のポートを備える。斜め配線（３０）は、互いに交差して配列された第１交差斜め配線（３０ａ）と第２交差斜め配線（３０ｂ）とを含む。第１交差斜め配線（３０ａ）は、第２画素ユニット（１００ｂ）中の赤色副画素（Ｒ）が位置する列のデータラインと赤色副画素ポートとを互いに接続するために用いられ、第２交差斜め配線（３０ｂ）は、第２画素ユニット（１００ｂ）中の緑色副画素（Ｇ）が位置する列のデータラインと緑色副画素ポートとを互いに接続するために用いられる。上記の表示装置によれば、画素配列の出力方式とデータ伝送とをＶ−ｄｅｌｔａ構造にマッチさせることができる。【選択図】  なし
2019503049.tif 000002
【特許請求の範囲】
【請求項１】
画素構造と集積回路と斜め配線とを含む表示装置であって、
前記画素構造は、縦方向及び横方向の両方に直線に沿って配列された複数の反復ユニットを含み、
前記反復ユニットは、第１画素ユニットと第２画素ユニットとを含み、前記第１画素ユニット及び前記第２画素ユニットは、いずれも赤色副画素、緑色副画素及び青色副画素を含み、前記第１画素ユニットの青色副画素と前記第２画素ユニットの青色副画素とは互いに隣接し、前記第１画素ユニットの赤色副画素と前記第２画素ユニットの赤色副画素とは互いに軸対称に配置され、前記第１画素ユニットの緑色副画素と前記第２画素ユニットの緑色副画素とは互いに軸対称に配置され、
前記集積回路は、順次配列された複数のポートユニットを含む複数のポートを有し、前記ポートユニットは、順次配列された赤色副画素ポートと緑色副画素ポートと青色副画素ポートとを含み、
前記斜め配線は、前記複数のポートと前記画素構造中の各列のデータラインとをそれぞれ接続し、第１交差斜め配線と第２交差斜め配線とを含み、前記第１交差斜め配線と前記第２交差斜め配線とは互いに交差するように配列され、前記第１交差斜め配線は、前記第２画素ユニット中の赤色副画素が位置する列のデータラインと前記赤色副画素ポートとを互いに接続し、前記第２交差斜め配線は、前記第２画素ユニット中の緑色副画素が位置する列のデータラインと前記緑色副画素ポートとを互いに接続するように構成されている、
ことを特徴とする表示装置。
【請求項２】
前記第１画素ユニットは、縦方向において第１領域と第２領域とに分割され、前記第１画素ユニットの青色副画素は、第１領域に位置し、前記第１画素ユニットの赤色副画素と前記第１画素ユニットの緑色副画素とは第２領域に位置し、前記第２画素ユニットは、前記第１画素ユニットに対して互いに鏡像に配置され、横方向において互いに隣接する前記第１画素ユニットと前記第２画素ユニットとは互いに鏡像に配置され、縦方向において互いに隣接する前記第１画素ユニット同士は交互に鏡像となるように配置され、縦方向において互いに隣接する前記第２画素ユニット同士は交互に鏡像となるように配置されている
ことを特徴とする請求項１に記載の表示装置。
【請求項３】
前記第１画素ユニットの青色副画素の形状は、行方向の長さが列方向の長さよりも長い矩形であり、前記第１画素ユニットの赤色副画素及び前記第１画素ユニットの緑色副画素の形状は、いずれも列方向の長さが行方向の長さよりも長い矩形である、
ことを特徴とする請求項２に記載の表示装置。
【請求項４】
前記第１画素ユニットの赤色副画素の大きさと前記第１画素ユニットの緑色副画素の大きさとは異なり、前記第１画素ユニットの赤色副画素の行方向の長さと列方向の長さはそれぞれ、対応する前記第１画素ユニットの緑色副画素の行方向の長さと列方向の長さよりも長い、
ことを特徴とする請求項２に記載の表示装置。
【請求項５】
前記第１画素ユニットの赤色副画素の行方向の長さと前記第１画素ユニットの緑色副画素の行方向の長さとの和は、前記第１画素ユニットの青色副画素の行方向の長さよりも短い、
ことを特徴とする請求項４に記載の表示装置。
【請求項６】
前記第１画素ユニットの赤色副画素の大きさと前記第１画素ユニットの緑色副画素の大きさとは同じである、
ことを特徴とする請求項３に記載の表示装置。
【請求項７】
前記第１画素ユニットの青色副画素は、第１青色副画素と第２青色副画素とを含み、前記第１青色副画素と前記第２青色副画素との形状は、いずれも直角三角形であり、かつ、前記第１青色副画素の斜辺と前記第２青色副画素の斜辺とは、互いに近接している、
ことを特徴とする請求項３に記載の表示装置。
【請求項８】
前記第１画素ユニットの前記青色副画素、前記赤色副画素及び前記緑色副画素の形状は、いずれも円形である、
ことを特徴とする請求項２に記載の表示装置。
【請求項９】
前記第１画素ユニットの前記青色副画素の形状は矩形であり、前記第１画素ユニットの前記赤色副画素の形状は矩形であり、前記第１画素ユニットの前記緑色副画素の形状は円形である、
ことを特徴とする請求項２に記載の表示装置。
【請求項１０】
前記第１画素ユニットの前記青色副画素の形状は矩形であり、前記第１画素ユニットの前記赤色副画素の形状は円形であり、前記第１画素ユニットの前記緑色副画素の形状は矩形である、
ことを特徴とする請求項２に記載の表示装置。
【発明の詳細な説明】
【技術分野】
【０００１】
本発明は表示装置の技術分野に関し、特に表示装置に関する。
【背景技術】
【０００２】
ＯＬＥＤ（Ｏｒｇａｎｉｃ Ｌｉｇｈｔ−Ｅｍｉｔｔｉｎｇ Ｄｉｏｄｅ，有機発光ダイオード）に基づいた表示技術は、自己発光表示技術であり、駆動電圧が低く、視野角が広く、効率が高く、応答速度が速く、フルカラーで広い面積での壁掛け型の表示とフレキシブルな表示装置を実現しやすいなどの特徴を有する。
【０００３】
応用においては、表示解像度に対するユーザーの要求がますます高くなってきている。解像度は、ＰＰＩ（Ｐｉｘｅｌｓ Ｐｅｒ Ｉｎｃｈ，１インチあたりの画素数）を用いて特徴付けることができるが、ＰＰＩは画素配列の構造に影響される。画素配列の方式として、Ｖ−ｄｅｌｔａ画素配列などが挙げられる。
【０００４】
しかしながら、Ｖ−ｄｅｌｔａ画素配列の場合には、従来のＲＧＢのストリップ（ｓｔｒｉｐ）配列、ＩＧＮＩＳのアレイ出力方式及びデータラインの伝送方式は、Ｖ−ｄｅｌｔａ構造にマッチできない。
【発明の概要】
【０００５】
そこで、従来の配列構造がＶ−ｄｅｌｔａ構造にマッチできないという問題が解消された表示装置が望まれている。
【０００６】
本発明による表示装置は、
画素構造と集積回路と斜め配線とを含む表示装置であって、
前記画素構造は、縦方向及び横方向の両方に対し直線状に配列された複数の反復ユニットを含み、
前記反復ユニットは、第１画素ユニットと第２画素ユニットとを含み、前記第１画素ユニット及び前記第２画素ユニットは、いずれも赤色副画素、緑色副画素及び青色副画素を含み、前記第１画素ユニットの青色副画素と前記第２画素ユニットの青色副画素とは互いに隣接し、前記第１画素ユニットの赤色副画素と前記第２画素ユニットの赤色副画素とは互いに軸対称に配置され、前記第１画素ユニットの緑色副画素と前記第２画素ユニットの緑色副画素とは互いに軸対称に配置され、
前記集積回路は、順次配列された複数のポートユニットを含む複数のポートを有し、前記ポートユニットは、順次配列された赤色副画素ポート、緑色副画素ポート及び青色副画素ポートとを含み、
前記斜め配線は、前記複数のポートと前記画素構造中の各列のデータラインとをそれぞれ接続し、第１交差斜め配線と第２交差斜め配線とを含み、前記第１交差斜め配線と前記第２交差斜め配線とは互いに交差するように配列され、前記第１交差斜め配線は、前記第２画素ユニット中の赤色副画素が位置する列のデータラインと前記赤色副画素ポートとを互いに接続し、前記第２交差斜め配線は、前記第２画素ユニット中の緑色副画素が位置する列のデータラインと前記緑色副画素ポートとを互いに接続する。
【０００７】
一実施例において、前記第１画素ユニットは、縦方向において第１領域と第２領域とに分割され、前記第１画素ユニットの青色副画素は、第１領域に位置し、前記第１画素ユニットの赤色副画素と前記第１画素ユニットの緑色副画素とは第２領域に位置し、前記第２画素ユニットは、前記第１画素ユニットに対して互いに鏡像に配置され、横方向において互いに隣接する前記第１画素ユニットと前記第２画素ユニットとは互いに鏡像に配置され、縦方向において互いに隣接する前記第１画素ユニット同士は交互に鏡像となるように配置され、縦方向において互いに隣接する前記第２画素ユニット同士は交互に鏡像となるように配置されている。
【０００８】
一実施例において、前記第１画素ユニットの青色副画素の形状は、行方向の長さが列方向の長さよりも長い矩形であり、前記第１画素ユニットの赤色副画素及び前記第１画素ユニットの緑色副画素の形状は、いずれも列方向の長さが行方向の長さよりも長い矩形である。
【０００９】
一実施例において、前記第１画素ユニットの赤色副画素の大きさと前記第１画素ユニットの緑色副画素の大きさとは互いに異なり、前記第１画素ユニットの赤色副画素の行方向の長さと列方向の長さはそれぞれ、対応する前記第１画素ユニットの緑色副画素の行方向の長さと列方向の長さよりも長い。
【００１０】
一実施例において、前記第１画素ユニットの赤色副画素の行方向の長さと前記第１画素ユニットの緑色副画素の行方向の長さとの和は、前記第１画素ユニットの青色副画素の行方向の長さよりも短い。
【００１１】
一実施例において、前記第１画素ユニットの赤色副画素及び前記第１画素ユニットの緑色副画素の大きさは、同じである。
【００１２】
一実施例において、前記第１画素ユニットの青色副画素は、第１青色副画素と第２青色副画素とを含み、前記第１青色副画素及び前記第２青色副画素の形状は、いずれも直角三角形であり、かつ、前記第１青色副画素の斜辺と前記第２青色副画素の斜辺とは、互いに近接している。
【００１３】
一実施例において、前記第１画素ユニットの前記青色副画素、前記赤色副画素及び前記緑色副画素の形状は、いずれも円形である。
【００１４】
一実施例において、前記第１画素ユニットの前記青色副画素の形状は矩形であり、前記第１画素ユニットの前記赤色副画素の形状は矩形であり、前記第１画素ユニットの前記緑色副画素の形状は円形である。
【００１５】
一実施例において、前記第１画素ユニットの前記青色副画素の形状は矩形であり、前記第１画素ユニットの前記赤色副画素の形状は円形であり、前記第１画素ユニットの前記緑色副画素の形状は矩形である。
【００１６】
上記の表示装置において、画素構造は、複数の反復ユニットを含み、各反復ユニットは、第１画素ユニット及び第２画素ユニットを含み、第１画素ユニットの青色副画素と第２画素ユニットの青色副画素とは互いに隣接し、第１画素ユニットの赤色副画素と第２画素ユニットの赤色副画素とは互いに軸対称に配置され、第１画素ユニットの緑色副画素と第２画素ユニットの緑色副画素とは互いに軸対称に配置されることで、画素配列の方式はＲＧＢＢＧＲＲＧＢＢＧＲ型となる。集積回路における複数のポートは、赤色副画素ポート、緑色副画素ポート及び青色副画素ポートのように順次配列されている。第１交差斜め配線と第２交差斜め配線とを用いて、第２画素ユニット中の赤色副画素が位置する列のデータラインと赤色副画素ポートとを第１交差斜め配線で接続し、第２画素ユニット中の緑色副画素が位置する列のデータラインと緑色副画素ポートとを第２交差斜め配線で接続することにより、第２画素ユニットのＲおよびＧのデータ伝送を逆転させ、画素配列の出力方式とデータ伝送方式とをＶ−ｄｅｌｔａ構造にマッチさせる。
【図面の簡単な説明】
【００１７】
【図１】図１は、本発明の第１実施例に係る表示装置を概略的に示す構造図である。
【図２】図２は、図１に示される第１実施例に係る画素構造の概略図である。
【図３】図３は、図２に示される第１画素ユニットを概略的に示す構造図である。
【図４】図４は、本発明の第２実施例に係る第１画素ユニットを概略的に示す構造図である。
【図５】図５は、本発明の第３実施例に係る第１画素ユニットを概略的に示す構造図である。
【発明を実施するための形態】
【００１８】
第１実施例
図１〜２に示すように、本実施例に係る表示装置は、画素構造１０と、集積回路２０と、斜め配線３０とを含む。ここで、画素構造は、縦方向及び横方向の両方向それぞれ直線に沿って配列された複数の反復ユニットを含み、反復ユニットは、第１画素ユニット１００ａ及び第２画素ユニット１００ｂを含む。
【００１９】
第１画素ユニット１００ａ及び第２画素ユニット１００ｂは、いずれも赤色副画素Ｒ、緑色副画素Ｇ及び青色副画素Ｂを含む。第１画素ユニット１００ａの青色副画素Ｂと第２画素ユニット１００ｂの青色副画素Ｂとは互いに隣接する。第１画素ユニット１００ａの赤色副画素Ｒと第２画素ユニット１００Ｂの赤色副画素Ｒとは互いに軸対称に配置されている。第１画素ユニット１００ａの緑色副画素Ｇと第２画素ユニット１００ｂの緑副画素Ｇとは互いに軸対称に配置されている。このように、画素構造１０の画素配列の方式は、ＲＧＢＢＧＲＲＧＢＢＧＲ型となる。
【００２０】
集積回路２０は、赤色副画素ポートと、緑色副画素ポートと、青色副画素ポートとが順次繰り返して配列されることによって構成された複数のポートを有する。
【００２１】
集積回路２０上のポートは、赤色副画素ポート、緑色副画素ポート及び青色副画素ポートが順次繰り返して配列されているが、画素構造１０の画素配列の方式は、ＲＧＢＢＧＲＲＧＢＢＧＲ型となっているため、斜め配線３０を用いてポートと画素構造１０における列のデータラインとを接続する場合に、画素配列の出力方式及びデータ伝送方式は、Ｖ−ｄｅｌｔａ構造にマッチできない。したがって、図１に示すように、斜め配線３０は、第１交差斜め配線３０ａと第２交差斜め配線３０ｂとを含む。
【００２２】
前記第１交差斜め配線３０ａと前記第２交差斜め配線３０ｂとは互いに交差するように配列されている。前記第１交差斜め配線３０ａは、第２画素ユニット１００ｂ中の赤色副画素が位置する列のデータラインと赤色副画素ポートとを互いに接続する。前記第２交差斜め配線３０ｂは、第２画素ユニット１００ｂ中の緑色副画素が位置する列のデータラインと緑色副画素ポートとを互いに接続する。これにより、第２画素ユニット１００ｂのＲおよびＧのデータ伝送を逆転させるため、画素配列の出力方式及びデータ伝送方式をＶ−ｄｅｌｔａ構造にマッチさせる。
【００２３】
本実施例において、図２に示すように、第１実施例に係る画素構造１０は、複数の第１画素ユニット群１２と複数の第２画素ユニット群１４とを含み、第１画素ユニット群１２及び第２画素ユニット群１４は、それぞれ、複数の反復ユニットを含む。前記反復ユニットは、横方向に直線に沿って配列されることより複数行の画素ユニット群を形成し、また、反復ユニットは、縦方向にも直線に沿って配列されることにより複数列の画素ユニット群を形成する。反復ユニットは、第１画素ユニット１００ａと第２画素ユニット１００ｂとを含む。
第１画素ユニット１００ａは正方形である。また該第１画素ユニット１００ａは、青色副画素１１０、赤色副画素１２０及び緑色副画素１３０を含む。第２画素ユニット１００ｂは、第１画素ユニット１００ａに対して互いに鏡像となるように配置されている。
【００２４】
具体的には、第１画素ユニット群１２は１行に構成され、第２画素ユニット群１４は１行に構成されている。図２に示すように、横方向において第１画素ユニット１００ａと第２画素ユニット１００ｂとは互いに鏡像となるように配置され、縦方向において互いに隣接する第１画素ユニット１００ａ同士は交互に鏡像となるように配置され、縦方向において互いに隣接する第２画素ユニット１００ｂ同士は交互に鏡像となるように配置されている。
【００２５】
図３に示すように、第１画素ユニット１００ａは正方形であり、縦方向に第１領域と第２領域とに分割されている。青色副画素１１０が第１領域に位置し、赤色副画素１２０と緑色副画素１３０とが第２領域に位置し、また赤色副画素１２０と緑色副画素１３０とは互いに重なっていない。
【００２６】
本実施例において、青色副画素１１０、赤色副画素１２０、及び緑色副画素１３０の形状は全て矩形である。特に、青色副画素１１０の形状は、行方向の長さが列方向の長さよりも長い矩形である一方、赤色副画素１２０及び緑色副画素１３０の形状は、列方向の長さが行方向の長さよりも長い矩形である。また赤色副画素１２０の行方向の長さと列方向の長さはそれぞれ緑色副画素１３０の行方向の長さと列方向の長さよりも長い。赤色副画素１２０と緑色複画素１３０とは、形状は同じであるが、大きさは互いに異なっている。また、赤色副画素１２０の行方向の長さと緑色副画素１３０の行方向の長さとの和は、青色副画素１１０の行方向の長さよりも短い。
【００２７】
また、青色副画素１１０は、ｓｌｉｔ（スリット）型の開口部を有するマスクプレートを用いて蒸着により形成されて良く、赤色副画素１２０と緑色副画素１３０とはｓｌｏｔ（スロット）型の開口部を有するマスクプレートを用いて蒸着により形成されて良い。赤色副画素１２０と緑色副画素１３０との形状が同じである場合、赤色副画素１２０と緑色副画素１３０とは、ｓｌｏｔ型開口部を有する矩形のメタルマスクプレートを共用して蒸着により形成されても良い。すなわち、同じメタルマスクプレートを、赤色副画素１２０の蒸着とともに、緑色副画素１３０の蒸着に用いることができる。これにより、マスクプレートの製造の難易度及び製造コストを下げることができた。
【００２８】
また、青色副画素にはｓｌｉｔ蒸着法を採用し、赤色副画素及び緑色副画素にはｓｌｏｔ蒸着法を採用することにより、マスクプレートの開口面積を増加させ、マスクプレートの製造プロセスの難易度を下げることができた。また、蒸着する時に隣接する２つの副画素の間にスペースを設ける必要がないため、マスクプレートの開口率を確保しながら表示ＰＰＩを向上させ、ある程度マスクプレートを軽くし、良品率を向上させることができる。
【００２９】
第２実施例
本実施例において、図４に示すように、第１画素ユニット２００は正方形であり、縦方向に第１領域と第２領域とに分割されている。青色副画素２１０は第１領域に位置し、赤色副画素２２０と緑色副画素２３０とは第２領域に位置し、また赤色副画素２２０と緑色副画素２３０とは互いに重なっていない。青色副画素２１０は、第１青色副画素２１１と第２青色副画素２１２とを含む。第１青色副画素２１１及び第２青色副画素２１２の形状はいずれも直角三角形であり、また、第１青色副画素２１１の斜辺と第２青色副画素２１２の斜辺とは互いに近接している。前記近接しているとは、第１青色副画素２１１の斜辺と第２青色副画素２１２の斜辺とが互いに平行でかつ非常に近づいていることを意味する。これにより、対角線効果がある程度向上できる。
【００３０】
第３実施例
本実施例において、図５に示すように、第１画素ユニット３００は正方形であり、縦方向に第１領域と第２領域とに分割されている。青色副画素３１０は第１領域に位置し、赤色副画素３２０と緑色副画素３３０とは第２領域に位置し、また赤色副画素３２０と緑色副画素３３０とは互いに重なっていない。青色副画素３１０、赤色副画素３２０及び緑色副画素３３０の形状は円形である。それで、マスクの開口を大きくした。また、赤色副画素３２０と緑色副画素３３０との大きさは、同じであっても異なっていてもよい。
【００３１】
他の実施例において、青色副画素３１０の形状は矩形又は円形であり、赤色副画素３２０の形状は矩形であり、緑色副画素３３０の形状は円形である。或いは、青色副画素３１０の形状は矩形又は円形であり、赤色副画素３２０の形状は円形であり、緑色副画素３３０の形状は矩形である。
【００３２】
上記の表示装置において、画素構造は複数の反復ユニットを含み、反復ユニットは第１画素ユニットと第２画素ユニットとを含み、第１画素ユニットの青色副画素と第２画素ユニットの青色副画素とは互いに隣接し、第１画素ユニットの赤色副画素と第２画素ユニットの赤色副画素とは互いに軸対称に配置され、第１画素ユニットの緑色副画素と第２画素ユニットの緑色副画素とは互いに軸対称に配置されることで、画素配列の方式はＲＧＢＢＧＲＲＧＢＢＧＲ型となる。集積回路中の複数のポートは、赤色副画素ポート、緑色副画素ポート及び青色副画素ポートのように順次配列される。第１交差斜め配線と第２交差斜め配線とを用いるが、第１交差斜め配線は、第２画素ユニット中の赤色副画素が位置する列のデータラインと赤色副画素ポートとを互いに接続するために用いられ、第２交差斜め配線は、第２画素ユニット中の緑色副画素が位置する列のデータラインと緑色副画素ポートとを互いに接続するために用いられる。このように、第２画素ユニットのＲおよびＧのデータ伝送を逆転させ、画素配列の出力方式及びデータ伝送方式をＶ−ｄｅｌｔａ構造にマッチさせる。
【００３３】
前記実施例の各技術的特徴は任意に組み合わせることができ、説明の便宜上、前記実施例の各技術的特徴の全ての組合せを説明していないが、これらの技術的特徴の組合せは、矛盾しなければ、本明細書の記載範囲に含まれると理解されるのが当然である。
【００３４】
以上、前記実施例により本発明のいくつかの実施形態を具体的に説明したが、本発明はこれらに限定されていない。当業者にとっては、本発明の精神を逸脱しないかぎり、様々の変形や改良も本発明の保護範囲に含まれる。よって、本発明の保護範囲は、添付の特許請求の範囲によるものである。
【図１】
2019503049.tif 000003
【図２】
2019503049.tif 000004
【図３】
2019503049.tif 000005
【図４】
2019503049.tif 000006
【図５】
2019503049.tif 000007
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
画素構造と集積回路と斜め配線とを含む表示装置であって、
前記画素構造は、縦方向及び横方向の両方に直線に沿って配列された複数の反復ユニットを含み、
前記反復ユニットは、第１画素ユニットと第２画素ユニットとを含み、前記第１画素ユニット及び前記第２画素ユニットは、いずれも赤色副画素、緑色副画素及び青色副画素を含み、前記第１画素ユニットの青色副画素と前記第２画素ユニットの青色副画素とは互いに隣接し、前記第１画素ユニットの赤色副画素と前記第２画素ユニットの赤色副画素とは互いに軸対称に配置され、前記第１画素ユニットの緑色副画素と前記第２画素ユニットの緑色副画素とは互いに軸対称に配置され、
前記集積回路は、順次配列された複数のポートユニットを含む複数のポートを有し、前記ポートユニットは、順次配列された赤色副画素ポートと緑色副画素ポートと青色副画素ポートとを含み、
前記斜め配線は、前記複数のポートと前記画素構造中の各列のデータラインとをそれぞれ接続し、第１交差斜め配線と第２交差斜め配線とを含み、前記第１交差斜め配線と前記第２交差斜め配線とは互いに交差するように配列され、前記第１交差斜め配線は、前記第２画素ユニット中の赤色副画素が位置する列のデータラインと前記赤色副画素ポートとを互いに接続し、前記第２交差斜め配線は、前記第２画素ユニット中の緑色副画素が位置する列のデータラインと前記緑色副画素ポートとを互いに接続するように構成されている、
ことを特徴とする表示装置。
【請求項２】
前記第１画素ユニットは、縦方向において第１領域と第２領域とに分割され、前記第１画素ユニットの青色副画素は、第１領域に位置し、前記第１画素ユニットの赤色副画素と前記第１画素ユニットの緑色副画素とは第２領域に位置し、前記第２画素ユニットは、前記第１画素ユニットに対して互いに鏡像に配置され、横方向において互いに隣接する前記第１画素ユニットと前記第２画素ユニットとは互いに鏡像に配置され、縦方向において互いに隣接する前記第１画素ユニット同士は交互に鏡像となるように配置され、縦方向において互いに隣接する前記第２画素ユニット同士は交互に鏡像となるように配置されている
ことを特徴とする請求項１に記載の表示装置。
【請求項３】
前記第１画素ユニットの青色副画素の形状は、行方向の長さが列方向の長さよりも長い矩形であり、前記第１画素ユニットの赤色副画素及び前記第１画素ユニットの緑色副画素の形状は、いずれも列方向の長さが行方向の長さよりも長い矩形である、
ことを特徴とする請求項２に記載の表示装置。
【請求項４】
前記第１画素ユニットの赤色副画素の大きさと前記第１画素ユニットの緑色副画素の大きさとは異なり、前記第１画素ユニットの赤色副画素の行方向の長さと列方向の長さはそれぞれ、対応する前記第１画素ユニットの緑色副画素の行方向の長さと列方向の長さよりも長い、
ことを特徴とする請求項２に記載の表示装置。
【請求項５】
前記第１画素ユニットの赤色副画素の行方向の長さと前記第１画素ユニットの緑色副画素の行方向の長さとの和は、前記第１画素ユニットの青色副画素の行方向の長さよりも短い、
ことを特徴とする請求項４に記載の表示装置。
【請求項６】
前記第１画素ユニットの赤色副画素の大きさと前記第１画素ユニットの緑色副画素の大きさとは同じである、
ことを特徴とする請求項３に記載の表示装置。
【請求項７】
前記第１画素ユニットの青色副画素は、第１青色副画素と第２青色副画素とを含み、前記第１青色副画素と前記第２青色副画素との形状は、いずれも直角三角形であり、かつ、前記第１青色副画素の斜辺と前記第２青色副画素の斜辺とは、互いに近接している、
ことを特徴とする請求項３に記載の表示装置。
【請求項８】
前記第１画素ユニットの前記青色副画素、前記赤色副画素及び前記緑色副画素の形状は、いずれも円形であり、
または、前記第１画素ユニットの前記青色副画素の形状は矩形であり、前記第１画素ユニットの前記赤色副画素の形状は矩形であり、前記第１画素ユニットの前記緑色副画素の形状は円形であり、
または、前記第１画素ユニットの前記青色副画素の形状は矩形であり、前記第１画素ユニットの前記赤色副画素の形状は円形であり、前記第１画素ユニットの前記緑色副画素の形状は矩形である、
ことを特徴とする請求項２に記載の表示装置。
【請求項９】
表示装置の製造方法であって、
縦方向及び横方向の両方に直線に沿って配列された複数の反復ユニットを含み、前記反復ユニットが第１画素ユニットと第２画素ユニットとを含み、前記第１画素ユニット及び前記第２画素ユニットがいずれも赤色副画素、緑色副画素及び青色副画素を含み、前記第１画素ユニットの青色副画素と前記第２画素ユニットの青色副画素とが互いに隣接し、前記第１画素ユニットの赤色副画素と前記第２画素ユニットの赤色副画素とが互いに軸対称に配置され、前記第１画素ユニットの緑色副画素と前記第２画素ユニットの緑色副画素とが互いに軸対称に配置される、画素構造を作製し、
順次配列された複数のポートユニットを含む複数のポートを有し、前記ポートユニットが順次配列された赤色副画素ポートと緑色副画素ポートと青色副画素ポートとを含む、集積回路を作製し、
互いに交差するように配列される第１交差斜め配線と第２交差斜め配線とを含む斜め配線により、前記複数のポートと前記画素構造中の各列のデータラインとをそれぞれ接続し、前記第２画素ユニット中の赤色副画素が位置する列のデータラインと前記赤色副画素ポートとを前記第１交差斜め配線により互いに接続し、前記第２画素ユニット中の緑色副画素が位置する列のデータラインと前記緑色副画素ポートとを前記第２交差斜め配線により互いに接続する、
ことを特徴とする表示装置の製造方法。
【請求項１０】
画素構造を作製することは、青色副画素をスリット型の開口部を有するマスクプレートを用いて蒸着し、赤色副画素及び緑色副画素をスロット型の開口部を有するマスクプレートを用いて蒸着することを含む、
ことを特徴とする請求項９に記載の表示装置の製造方法。
【手続補正３】
【補正対象書類名】明細書
【補正対象項目名】０００１
【補正方法】変更
【補正の内容】
【０００１】
本発明は表示装置の技術分野に関し、特に表示装置及びその製造方法に関する。
【手続補正４】
【補正対象書類名】明細書
【補正対象項目名】０００５
【補正方法】変更
【補正の内容】
【０００５】
そこで、従来の配列構造がＶ−ｄｅｌｔａ構造にマッチできないという問題が解消された表示装置及びその製造方法が望まれている。
【国際調査報告】
2019503049.tif 000008
2019503049.tif 000009
2019503049.tif 000010
2019503049.tif 000011